(57)【要約】【課題】交流電源の停電に対して、素早く停電を検知し負荷をオフすることで、マイクロコンピュータにリセットがかかるまでの時間を延ばし、プログラムの進行状況を失うことなく動作を続行すること。【解決手段】交流電源２１から得られる直流電源と、前記直流電源から負荷群ａ２７に電源を供給するスイッチング電源２４と、前記スイッチング電源２４の出力からマイクロコンピュータ３０と負荷群ｂ３１に電源を供給する低電圧電源２８と、前記負荷群ｂ３１への電源を供給するためのトランジスタ３２と、前記スイッチング電源２４の出力電圧から停電を検知する停電検出回路２６を有し、前記停電検出回路２６が停電を検知すると前記低電圧電源２８の出力から負荷群ｂ３１への電力を供給するトランジスタ３２を非動作にさせ、前期マイクロコンピュータ３０は負荷群ｂ３１への電力供給がなくなったことを検知し、機器の負荷を非駆動状態にすること。【選択図】図１
2010156519.tif 000002
【特許請求の範囲】
【請求項１】
交流電源から得られる直流電源と、前記直流電源から第１の負荷群に電力を供給するスイッチング電源と、前記スイッチング電源の出力からマイクロコンピュータと第２の負荷群に電力を供給する低電圧電源と、前記低電圧電源の出力を前記第２の負荷群へ供給するためのトランジスタと、前記スイッチング電源の出力電圧から停電を検知する停電検出回路を有し、前記停電検出回路が停電を検知すると前記低電圧電源の出力から第２の負荷群への電力を供給するトランジスタを非動作にさせ、前期マイクロコンピュータは第２の負荷群への電力供給がなくなったことを検知し、機器の負荷を非駆動状態にする加熱調理器。
【請求項２】
第１の負荷群への電力を供給するためのトランジスタを有し、停電検出回路が停電を検知すると、第１の負荷群への電力の供給を遮断する請求項１に記載の加熱調理器。
【請求項３】
交流電源のゼロボルト近辺を検出するゼロボルト回路と、前記ゼロボルト回路からの信号を利用してプログラム動作するマイクロコンピュータを有し、前記ゼロボルト回路からの信号がなくなった場合にマイクロコンピュータが停電を検知する請求項１または２に記載の加熱調理器。
【請求項４】
前記マイクロコンピュータとデータの送受信が可能な不揮発性の外部メモリを有し、前記マイクロコンピュータが停電を検知した場合に機器の状態を前記外部メモリに書き込み、マイクロコンピュータにリセットがかかった場合においても前記外部メモリからリセット前の状態を読み込むことで停電の前後においても機器が問題なく動作することを可能とした請求項１〜３のいずれか１項に記載の加熱調理器。
【請求項５】
複数のマイクロコンピュータを有し、それぞれのマイクロコンピュータは他のマイクロコンピュータとの通信手段を備えることとする。前記マイクロコンピュータが停電を検知するとその状態を他のマイクロコンピュータに送信し、停電状態であることを通信で受信したマイクロコンピュータは機器の負荷を非駆動状態にする請求項１〜４のいずれか１項に記載の加熱調理器。
【請求項６】
複数のマイクロコンピュータを有し、それぞれのマイクロコンピュータは他のマイクロコンピュータとの通信手段を備えることとする。前記マイクロコンピュータにリセットがかかった場合に、通信信号が遮断されることから、他のマイクロコンピュータは停電状態であることを検知し機器の負荷を非駆動状態にする請求項１〜５のいずれか１項に記載の加熱調理器。
【発明の詳細な説明】
【技術分野】
【０００１】
交流電源の停電に対して、コンデンサの容量を大きくすることなく、マイクロコンピュータにリセットがかかるまでの時間を延ばすことでプログラムの進行状況を失うことなくプログラム動作を続行することを目的としている。
【背景技術】
【０００２】
従来の停電検知装置について図４を参照して説明する。１は商用電源である交流電源、商用電源の両端には、ダイオード２とコンデンサ３が直列接続されており、コンデンサ３の両端から直流電圧を得ている。コンデンサ３の両端の直流電圧を入力としてスイッチング電源４が接続されており、スイッチング電源４は、出力コンデンサ４ａを有している。交流監視装置５は、交流電源１の両端にダイオード５ａ、抵抗５ｂ、抵抗５ｃが順に直列接続され、抵抗５ｃにはコンデンサ５ｄが並列に接続された回路により構成されている。抵抗５ｂと抵抗５ｃの接続点から交流電源の電圧の情報を出力している。交流監視装置５の出力には、定電圧ダイオード６ａのカソードが接続されており、また、定電圧ダイオード６ａのアノードには、トランジスタ６ｂのベースが接続されている。また、トランジスタ６ｂのコレクタには、抵抗６ｃとトランジスタ６ｄのベースが接続されている。抵抗６ｃの他端は、スイッチング電源４の出力コンデンサ４ａの出力に接続されており、トランジスタ６ｂおよびトランジスタ６ｄのエミッタは、スイッチング電源４のマイナス端子に接続されている。上記の定電圧ダイオード６ａ、トランジスタ６ｂ、抵抗６ｃおよびトランジスタ６ｄにて、ゼロボルト消去回路６を構成している。
【０００３】
ゼロボルト回路７は、交流電源１の両端にダイオード７ａ、抵抗７ｂ、抵抗７ｃが順に直列接続され、抵抗７ｂと抵抗７ｃの接続点にトランジスタ６ｄのコレクタとトランジスタ７ｄのベースとが接続されており、トランジスタ７ｄのコレクタは、抵抗７ｅに接続され、抵抗７ｅの他端は、スイッチング電源４の出力に接続され、トランジスタ７ｄのエミッタはマイナス端子に接続されて構成されている。
【０００４】
マイクロコンピュータ（以下、マイコンという）８は、スイッチング電源４の出力コンデンサ４ａの出力を電源として動作し、ゼロボルト回路７のトランジスタ７ｄのコレクタが入力端子Ａに接続されている。マイコン８の出力端子Ｂは、負荷群９に接続されたリレー（図示せず）に接続され、負荷群９は、スイッチング電源４あるいは交流電源１により駆動され、マイコン８によりリレーがオン−オフ制御されることにより駆動制御されている。
【０００５】
以上のような構成において、その動作を以下に説明する。
【０００６】
交流電源１により定格交流電圧が供給されている時において、交流監視装置５は、ダイオード５ａに順方向電流が流れる正弦波の半サイクル時に、抵抗５ｂと抵抗５ｃおよびコンデンサ５ｄにより、交流電源１の電圧に応じてコンデンサ５ｄに直流電圧を出力している。交流電源１の電圧が正常な時は、コンデンサ５ｄの電圧は、ゼロボルト消去回路６の定電圧ダイオード６ａのツェナー電圧と、トランジスタ６ｂのベースエミッタオン電圧の和の電圧より高い電圧となるようになっており、これによりトランジスタ６ｂはオンしてコレクタ電流が流れ、従って、抵抗６ｃに電流が流れてトランジスタ６ｄのコレクタとエミッタ間の電圧はほぼ０となり、トランジスタ６ｄはオフとなっている。これにより、トランジスタ６ｄのコレクタはゼロボルト回路７のトランジスタ７ｄには作用を及ぼさない。
【０００７】
このときゼロボルト回路７は、ダイオード７ａの順方向電圧は無視し、ダイオード７ａに順方向電流が流れる交流の半サイクルに、交流電圧が抵抗７ａ、７ｂに印加され、その分圧電圧がトランジスタ７ｄのベースエミッタ間オン電圧、すなわち約０．６Ｖに到達すると、トランジスタ７ｄはオンし、コレクタは０Ｖとなる。この電圧をローと呼ぶことにする。一方、反対の半波では、トランジスタはオフとなり、トランジスタ７ｄのコレクタはほぼスイッチング電源の電圧となる。この電圧をハイと呼ぶことにする。このように交流電圧が供給されている時は、トランジスタ７ｄのコレクタ、すなわち、マイコン８には、ハイ、ローの電圧が交互に入力され、マイコン８はこれを検知して、この信号がある時は、プログラムを動作している。
【０００８】
次に、交流電源１の電圧が、スイッチング電源が動作できない電圧にまで低下した時、コンデンサ５ｄの電圧が、定電圧ダイオード６ａのツェナー電圧とトランジスタ６ｂのベースエミッタ間オン電圧の和電圧より低くなると、トランジスタ６ｂはオフし、これにより、トランジスタ６ｄは、抵抗６ｃによりスイッチング電源４からバイアス電流が与えられ、オンする。トランジスタ６ｄがオンすると、そのコレクタ電流がスイッチング電源４からダイオード７ａ、抵抗７ｂを経由して流れ、コレクタエミッタ間電圧は、ほぼ０Ｖとなる。これにより、トランジスタ７ｄのベースはオフし、トランジスタ７ｄのコレクタ電圧、すなわち、マイコン８の入力端子Ａへの入力電圧はハイとなる。ここで、マイコン８は、入力端子Ａに信号がある時のみプログラムが動作し、入力信号がない時は、これを検出して、現在進行中のプログラム動作を保存するとともに停止し、出力端子Ｂの動作を停止して、負荷群９の動作を停止し、スイッチング電源４および交流電源１の電力消費を低減する動作をする。そして、マイコン８にリセットがかかる電圧までスイッチング電源４の電圧が低下する前に、再び交流電源１の電圧が供給されるとマイコン８は、これを検知して、停電前の状態からプログラム動作を再開する。すなわち、マイコン８は、入力端子Ａのハイを検知して、交流電源１の電圧が一定値低下したことを検知すると、プログラム動作を保存するとともに停止し、マイコン８の出力端子Ｂにより制御している負荷群９が停止する動作を行う。これによりスイッチング電源４および交流電源１を電力供給源としている負荷群９に電力供給が行われなくなるため、スイッチング電源４の出力電流は減少する。交流電源１の電圧がスイッチング電源４が動作できない電圧にまで低下すると、その初期においては、ダイオード２が逆バイアスされ、コンデンサ３の残留電荷によりスイッチング動作は継続するが、一定時間経過した後、コンデンサ３の電圧が、スイッチング電源４が動作できない電圧まで低下すると、スイッチング電源４の出力コンデンサ４ａのみにより負荷に電力を供給する。  すなわち、交流電源１の電圧が一定値低下すると、前記のように、負荷群９は電力を消費しないため、コンデンサ３の残留電荷の使用量が減り、また、コンデンサ４ａの出力電流も減少しているため、マイコン８にリセットがかかるまでの時間は、ゼロボルト消去回路６がないときに比べ長くできる。
【特許文献１】特開２００６−２９６１５３号公報
【発明の開示】
【発明が解決しようとする課題】
【０００９】
前記従来の構成にて、交流電源のゼロボルトを利用して動作するマイコンを有する機器が、その信号を利用して停電あるいは電源低下を検知した場合にシーケンス動作など実行しているプログラムを失わず負荷を停止することを可能としている。しかしながらこの従来の構成では、交流電源のゼロボルト出力を利用するために交流電源の周期のみでしか停電あるいは電源低下を検知することができない。機器の直流電源にはコンデンサが接続されており、一定の電荷を充電することができるが、停電あるいは電源低下によりスイッチング電源から直流電流が出力されなくなった場合に直流電源の電圧がどのように低下するかはその時の負荷によって異なる。よって負荷が大きいときは直流電源の電圧が早く落ち、それがゼロボルト信号の周期と比べて早い場合にはマイクロコンピュータにリセットがかかる恐れがあるという課題を有していた。
【課題を解決するための手段】
【００１０】
本発明は上記課題を解決するもので、従来のゼロボルト信号を利用した停電検出回路に替え、スイッチング電源の出力電圧を利用した停電検出回路を有することで、直流電源の負荷にかかわらずマイクロコンピュータにリセットがかかる前に停電または電圧低下を検知し、シーケンス動作など実行しているプログラムを失わず負荷を停止することを可能としている。
【発明の効果】
【００１１】
本発明の加熱調理器は、停電あるいは電源低下によりスイッチング電源から直流電流が出力されなくなり、かつ負荷が大きいときは直流電源の電圧が早く落ちるが、スイッチング電源の出力電圧で停電を検知することによりマイクロコンピュータにリセットがかかるまでの時間を延ばすことができる。
【発明を実施するための最良の形態】
【００１２】
第１の発明は、交流電源から得られる直流電源と、前記直流電源から第１の負荷群に電源を供給するスイッチング電源と、前記スイッチング電源の出力からマイクロコンピュータと第２の負荷群に電源を供給する低電圧電源と、前記第２の負荷群への電源を供給するためのトランジスタと、前記スイッチング電源の出力電圧から停電を検知する停電検出回路を有し、前記停電検出回路が停電を検知すると前記低電圧電源の出力から第２の負荷群への電力を供給するトランジスタを非動作にさせ、前期マイクロコンピュータは第２の負荷群への電力供給がなくなったことを検知し、機器の負荷を非駆動状態にすることにより、停電あるいは電源低下によりスイッチング電源から直流電流が出力されなくなり、かつ負荷が大きいときは直流電源の電圧が早く落ちるが、スイッチング電源の出力電圧で停電を検知することによりマイクロコンピュータにリセットがかかるまでの時間を延ばすことができる。
【００１３】
第２の発明は、特に、第１の発明において、スイッチング電源の出力から第１の負荷群への電源を供給するためのトランジスタを有し、停電検出回路が停電を検知すると、第１の負荷群への電力の供給を遮断するとすることにより、スイッチング電源のスイッチングが停止している場合においても出力側のコンデンサの残留電荷の使用量を減らすことができ、低電圧電源がマイクロコンピュータ用の電源出力を止めるまでの時間を延ばすことができる。したがってマイクロコンピュータにリセットがかかるまでの時間を延ばすことができる。
【００１４】
第３の発明は、特に、第１または第２の発明において、交流電源のゼロボルト近辺を検出するゼロボルト回路と、前記ゼロボルト回路からの信号を利用してプログラム動作するマイクロコンピュータを有し、前記ゼロボルト回路からの信号がなくなった場合にマイクロコンピュータが停電を検知するとすることにより、負荷の軽い場合、すなわち交流電源が停電してからスイッチング電源の出力側のコンデンサの残留電荷の使用量が少なく電圧が下がるスピードが遅い場合に関しても交流電源のゼロボルトを検出することで停電を検知することができ、停電検出回路による検知方法と組み合わせることで負荷の大きさに関わらず停電を素早く検知することができ、結果マイクロコンピュータにリセットがかかるまでの時間を延ばすことができる。
【００１５】
第４の発明は、特に、第１〜３のいずれか１つの発明において、マイクロコンピュータとデータの送受信が可能な不揮発性の外部メモリを有し、前記マイクロコンピュータが停電を検知した場合に機器の状態を前記外部メモリに書き込み、マイクロコンピュータにリセットがかかった場合においても前記外部メモリからリセット前の状態を読み込むことで停電の前後においても機器が問題なく動作することを可能とすることにより、停電により
マイクロコンピュータにリセットがかかった場合においても、リセットする前に外部メモリに状態を記憶させることで停電復帰後も停電前の状態を読み出して動作させることを可能としている。特に、自動調理を行なっている場合に停電時の工程を記憶し、停電からの復帰時に停電前と同じ工程から調理を再開することで停電が調理の出来に悪影響を与えることを防ぐことができる。
【００１６】
第５の発明は、特に、第１〜４のいずれか１つの発明において、複数のマイクロコンピュータを有し、それぞれのマイクロコンピュータは他のマイクロコンピュータとの通信手段を備えることとする。そのうち１つのマイクロコンピュータが停電を検知するとその状態を他のマイクロコンピュータに送信し、停電状態であることを通信で受信したマイクロコンピュータは機器の負荷を非駆動状態にするとすることにより、複数のマイクロコンピュータを持った加熱調理器において、停電発生時に停電を検知するタイミングが各マイクロコンピュータによって違う場合においても、早く停電を検知したマイクロコンピュータが他のマイクロコンピュータに停電情報を送信することで全てのマイクロコンピュータにリセットがかかるまでの時間を延ばすことができる。
【００１７】
第６の発明は、特に、第１〜５のいずれか１つの発明において、複数のマイクロコンピュータを有し、それぞれのマイクロコンピュータは他のマイクロコンピュータとの通信手段を備えることとする。前記マイクロコンピュータにリセットがかかった場合に、通信信号が遮断されることから、他のマイクロコンピュータは停電状態であることを検知し機器の負荷を非駆動状態にするとすることにより、複数のマイクロコンピュータを持った加熱調理器において、停電発生時にマイクロコンピュータを駆動する電源電圧が低下する時間が異なり、そのうち１つのマイクロコンピュータにリセットがかかった場合においてもそれを素早く検知することで他のマイクロコンピュータにリセットがかかるまでの時間を延ばすことができる。特に加熱調理部を制御するマイクロコンピュータとそのマイクロコンピュータに指令を与えるマイクロコンピュータを持つ加熱調理器であれば、指令を与える側のマイクロコンピュータにリセットがかかるのを防ぐことで停電の前後で不具合なく調理を継続させることが可能となる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態におけるブロック図を示すものである。２１の交流電源の両端にダイオードａ２２とコンデンサａ２３が直列接続されており、コンデンサａ２３の両端から直流電源を得ている。コンデンサａ２３の両端の直流電圧を入力としてスイッチング電源２４が接続されており、スイッチング電源２４は出力コンデンサｂ２５を有している。停電検出回路２６は、スイッチング電源２４の出力にツェナーダイオード２６ａ、抵抗２６ｂが順に直列接続された回路により構成されている。スイッチング電源２４の出力には負荷群ａ２７とマイクロコンピュータの電源等を出力する低電圧電源２８が接続されている。低電圧電源２８は出力コンデンサｃ２９を有している。低電圧電源２８の出力にはマイクロコンピュータ３０と負荷群ｂ３１が接続されているが、負荷群ｂ３１への接続はトランジスタ３２がオンしている場合のみとなる。なお、ここで記載されている負荷群ａ２７と負荷群ｂ３１に関して、負荷群ａ２７とはファンやリレーなどマイクロコンピュータの駆動電圧よりも一定以上高い電圧で駆動する負荷を想定しており、負荷群ｂ３１とはＬＥＤやサーミスタ等マイクロコンピュータの駆動電圧と同等の電圧で駆動できるものを想定している。
【００２０】
以上のように構成された加熱調理器についてその動作を説明する。
【００２１】
交流電源２１によりスイッチング電源２４に定格交流電圧が供給されている時において、ダイオードａ２２とコンデンサａ２３の両端の直流電圧は安定しており、スイッチング電源２４は負荷群ａ２７と低電圧電源２８に安定した直流電源を供給することができる。この時、停電検出回路２６にかかる電圧は停電検出回路２６のツェナーダイオード２６ａのツェナー電圧とトランジスタ３２のベースエミッタオン電圧の和より高い電圧となるようになっており、これによりトランジスタ３２はオンしてコレクタ電流が流れ、低電圧電源２８の出力が負荷群ｂ３１に入力される。このとき、マイクロコンピュータ３０はトランジスタ３２のエミッタ電圧を検知することでトランジスタ３２がオンしていること、すなわち停電検知回路２６に正常な範囲の電圧が印加されていることを検知し、停電状態でないことを検知する。
【００２２】
次に、交流電源の電圧が、スイッチング電源２４が動作できない電圧にまで低下し、スイッチング電源２４の出力の電圧も低下しツェナーダイオード２６ａのツェナー電圧とトランジスタ３２のベースエミッタオン電圧の和よりも低い電圧となった場合に、トランジスタ３２はオフし、低電圧電源２８の出力は負荷群３１ｂに入力されなくなる。この時にマイクロコンピュータ３０はトランジスタ３２のエミッタ電圧を検知することでトランジスタ３２がオンしていないこと、すなわち停電検知回路２６に印加される電圧が通常状態より低い状態であり、停電状態であることを検知する。低電圧電源２８からの出力はマイクロコンピュータ３０と負荷群ｂ３１に入力されているが停電検出回路２６が停電を検知した場合にはトランジスタ３２がオフされ、負荷群ｂ３１への入力が遮断されるため低電圧電源の出力にはマイクロコンピュータ３０のみが接続されることとなる。このとき負荷群ｂ３１は電力を消費しないため、コンデンサｃ２９の残留電荷の使用量が減り、マイクロコンピュータ３１にリセットがかかるまでの時間は、停電検出回路がないときに比べ長くできる。また、マイクロコンピュータ３１が停電を検知したときにマイクロコンピュータ３１が駆動している負荷群ａ２７をオフすることでコンデンサａ２３、コンデンサｂ２５の残留電荷の使用量が減りマイクロコンピュータ３１にリセットがかかるまでの時間を延ばすことができる。
【００２３】
（実施の形態２）
図２は、本発明の第２の実施の形態における加熱調理器の構成を示す図である。
【００２４】
本実施の形態の加熱調理器は、加熱調理器の負荷群ａ２７に電力を供給するトランジスタｂ３４とゼロボルト検出回路３５を設けた点が実施の形態１と異なる。それ以外の同一構成及び作用効果を表す部分には同一符号を付して詳細な説明を省略し、異なる点を中心に説明する。
【００２５】
上記実施の形態２において、停電検出回路２６が停電を検知した場合に負荷群ａ２７への電源を供給するためのトランジスタｂ３４をオフし、負荷群ａ２７への電力の供給を遮断するものである。この負荷群ａ２７とはファンやリレーを含み、特にファンにおいては駆動時に消費する電力が他の負荷に比べて大きいため、停電時には素早くこの負荷をオフする必要がある。このトランジスタｂ３４を追加することによりスイッチング電源２４のスイッチングが停止している場合においても出力側のコンデンサｂ２５の残留電荷の使用量を減らすことができ、低電圧電源２８がマイクロコンピュータ用の電源出力を止めるまでの時間を延ばすことができる。
【００２６】
また、ゼロボルト検出回路３５からの信号を利用してプログラム動作するマイクロコンピュータ３０を使用し、ゼロボルト検出回路３５からの信号がなくなった場合にマイクロコンピュータ３０が停電を検知することで、負荷ａ２７の軽い場合、すなわちファン等の大きな負荷が非動作時など、交流電源が停電してからスイッチング電源２４の出力側のコンデンサｂ２５の残留電荷の使用量が少なく電圧が下がるスピードが遅い場合に関しても
交流電源２１のゼロボルトを検出することで停電を検知することができ、停電検出回路２６による検知方法と組み合わせることで負荷ａ２７の大きさに関わらず停電を素早く検知することができ、結果マイクロコンピュータ３０にリセットがかかるまでの時間を延ばすことができる。
【００２７】
（実施の形態３）
図３は、本発明の第３の実施の形態における加熱調理器の構成を示すブロック図である。
【００２８】
本実施の形態の加熱調理器は、マイクロコンピュータａ３０とデータの送受信が可能な不揮発性の外部メモリである不揮発性メモリ３６を有する点と、加熱調理器が複数のマイクロコンピュータａ３０、ｂ３７を有し、それぞれのマイクロコンピュータａ３０またはｂ３７は他のマイクロコンピュータｂ３７またはａ３０との通信手段を備えている点が実施の形態１と異なるだけで、それ以外の同一構成及び作用効果を表す部分には同一符号を付して詳細な説明を省略し、異なる点を中心に説明する。なお、実施の形態３においてはマイクロコンピュータａ３０、ｂ３７は計二つとし、それぞれマイクロコンピュータａ３０、マイクロコンピュータｂ３７とする。
【００２９】
上記実施の形態３において、停電検出回路２６が停電を検知し、負荷群ｂ３１の入力電圧からマイクロコンピュータａ３０が停電を検知した場合に、機器の状態を前記外部メモリに書き込み、マイクロコンピュータａ３０にリセットがかかった場合においても前記外部不揮発性メモリ３６からリセット前の状態を読み込み停電前の状態を維持することを可能とする。また、この停電時にマイクロコンピュータａ３０はマイクロコンピュータｂ３７に停電であることを送信し、その情報を受信したマイクロコンピュータｂ３７は、マイクロコンピュータｂ３７に接続される機器の負荷（図示していない）を非駆動状態にする。この構成により全てのマイクロコンピュータにリセットがかかるまでの時間を延ばすことができる。
【産業上の利用可能性】
【００３０】
以上のように、本発明にかかる加熱調理器は、停電あるいは電源低下によりスイッチング電源から直流電流が出力されなくなり、かつ負荷が大きいときは直流電源の電圧が早く落ちるが、スイッチング電源の出力電圧で停電を検知することによりマイクロコンピュータにリセットがかかるまでの時間を延ばすことができるので、スイッチング電源及びをマイクロコンピュータ有する家庭用あるいは業務用の加熱調理器等の用途にも適用できる。
【図面の簡単な説明】
【００３１】
【図１】本発明の実施の形態１における誘導加熱調理器を示すブロック図
【図２】本発明の実施の形態２における誘導加熱調理器を示すブロック図
【図３】本発明の実施の形態３における誘導加熱調理器を示すブロック図
【図４】本発明の従来例における誘導加熱調理器を示すブロック図
【符号の説明】
【００３２】
２１  交流電源
２２  ダイオードａ
２３  コンデンサａ
２４  スイッチング電源
２５  コンデンサｂ
２６  停電検出回路
２７  負荷群ａ
２８  低電圧電源
２９  コンデンサｃ
３０  マイクロコンピュータ
３１  負荷群ｂ
３２  トランジスタ
３３  加熱調理ヒーター
【図１】
2010156519.tif 000003
【図２】
2010156519.tif 000004
【図３】
2010156519.tif 000005
【図４】
2010156519.tif 000006